(57)【要約】【課題】作業状況の違い、並びに、作業に伴う種々の要因による姿勢変動に応じて、車体の地上高を適切な高さに設定したり、路面の状況の変化にかかわらず車体の姿勢を安定化させることが可能な作業車が要望されていた。【解決手段】複数の走行車輪Ｓが伸縮可能な筒状の支持部材１９を介して車体フレームに支持され、油圧シリンダ４１により走行車輪Ｓの車体フレームに対する相対高さを所定長さ範囲内で切り換え可能な油圧操作式の車高調節機構４０が複数の走行車輪Ｓの夫々に対して備えられ、複数の油圧シリンダ４１に対する油圧制御弁の作動を制御する制御部は、収容量計測手段の計測結果に基づいて、車体の重量バランスが安定するために必要とされる油圧シリンダの目標作動量を求め油圧制御弁の作動を制御する。【選択図】図３
2020104724.tif 000002
【特許請求の範囲】
【請求項１】
複数の走行車輪が伸縮可能な筒状の支持部材を介して車体フレームに支持され、
油圧シリンダにより前記支持部材を伸縮操作して前記走行車輪の前記車体フレームに対する相対高さを所定長さ範囲内で切り換え可能な油圧操作式の車高調節機構が、複数の前記走行車輪の夫々に対して備えられ、
作業の継続に伴って重量が変化する積載物を収容する積載物収容装置が車体に搭載支持され、
複数の前記油圧シリンダに対して各別に作動油の供給状態を制御可能な油圧制御弁と、
前記油圧制御弁の作動を制御する制御部と、
前記積載物の収容量を計測する収容量計測手段と、が備えられ、
前記制御部は、前記収容量計測手段の計測結果に基づいて、車体の重量バランスが安定するために必要とされる前記油圧シリンダの目標作動量を求め、前記油圧シリンダの作動量が前記目標作動量になるように前記油圧制御弁の作動を制御するように構成されている作業車。
【請求項２】
車体の傾斜角を計測する傾斜センサと、前記油圧シリンダの伸縮操作量を計測するストロークセンサとが備えられ、
前記制御部は、前記収容量計測手段の計測結果、並びに、前記傾斜センサ及び前記ストロークセンサの計測結果に基づいて、車体を目標対地高さで且つ目標姿勢にするとともに、車体の重量バランスが安定するために必要とされる前記油圧シリンダの前記目標作動量を求め、前記ストロークセンサの検出値が前記目標作動量になるように、前記油圧制御弁の作動を制御する車高姿勢制御を実行する請求項１に記載の作業車。
【請求項３】
複数の走行車輪が伸縮可能な筒状の支持部材を介して車体フレームに支持され、
油圧シリンダにより前記支持部材を伸縮操作して前記走行車輪の前記車体フレームに対する相対高さを所定長さ範囲内で切り換え可能な油圧操作式の車高調節機構が、複数の前記走行車輪の夫々に対して備えられ、
複数の前記油圧シリンダに対して各別に作動油の供給状態を制御可能な油圧制御弁と、
前記油圧制御弁の作動を制御する制御部と、
車体の傾斜角を計測する傾斜センサと、
前記油圧シリンダの伸縮操作量を計測するストロークセンサとが備えられ、
前記制御部は、前記傾斜センサ及び前記ストロークセンサの計測結果に基づいて、車体を目標対地高さで且つ車体の重量バランスが安定するために必要とされる前記油圧シリンダの目標作動量を求め、前記ストロークセンサの検出値が前記目標作動量になるように、前記油圧制御弁の作動を制御する車高姿勢制御を実行する作業車。
【請求項４】
走行状態を検出する走行状態検出部を備え、
前記制御部は、前記走行状態検出部の検出結果、並びに、前記傾斜センサ及び前記ストロークセンサの計測結果に基づいて、走行状態を安定させるために必要な前記油圧シリンダの前記目標作動量を求め、前記ストロークセンサの検出値が前記目標作動量になるように、前記油圧制御弁の作動を制御する車高姿勢制御を実行する請求項２または３に記載の作業車。
【請求項５】
前記油圧シリンダの油室の圧力を計測する圧力センサが備えられ、
前記制御部は、前記油圧シリンダの作動量が前記目標作動量になるように前記油圧制御弁の作動の制御を実行しているときに、前記圧力センサにて計測される圧力の変動に応じて前記目標作動量を補正する請求項１から４のいずれか１項に記載の作業車。
【請求項６】
複数の前記油圧シリンダ夫々の油室にアキュムレータが接続されている請求項１から５のいずれか１項に記載の作業車。
【請求項７】
運転者が着座する運転座席と、前記運転座席の前方に配置された操作部材とを備えている請求項１から６のいずれか１項に記載の作業車。
【発明の詳細な説明】
【技術分野】
【０００１】
本発明は、複数の走行車輪を備えた作業車に関し、詳しくは、植立している作物を跨いで走行しながら作業したり、凹凸や傾斜面が存在する地面を走行しながら作業するのに適した作業車に関する。
【背景技術】
【０００２】
この種の作業車において、従来では、走行車輪を支持する縦向きケースが上下方向に長く設けられ、車体の地上高を大きくしてハイクリアランス仕様に構成されたものがあり、縦向きケースの上下長さは予め定められた一定の長さに設定されていた（例えば、特許文献１参照）。
【０００３】
この構成であれば、例えば、車体の後部に施肥装置や薬剤散布装置を装着して、左右の走行車輪が作物列を跨いで圃場を走行しながら、肥料や除草剤等の薬剤を作物に供給する作業を行うような場合に、車体の地上高を高くして、圃場に植え付けられた作物に車体が接触しない状態で走行することができる。
【先行技術文献】
【特許文献】
【０００４】
【特許文献１】特開２００３−９４９０７号公報
【発明の概要】
【発明が解決しようとする課題】
【０００５】
上記従来構成では、縦向きケースの上下長さが一定に固定されており、走行車輪が接地したときの車体の地上高が一定であるので、作物の生育状態や種類の違い又は作業状況の違い等により、車体の地上高に過不足が生じる不利があった。例えば、作物が背高になった状態に応じて車体の地上高さが設定されていると、作物が背低である場合には、車体と作物との上下間隔が広くなり過ぎて、肥料や薬剤が飛散して作物に適切な状態で供給できない等、作業が良好に行えないおそれがあった。
【０００６】
又、凹凸が存在する地面を走行しながら作業する場合、走行車輪が凹部に入り込んだり凸部に乗り上げたりして、車体が傾斜して姿勢が不安定になるおそれがあり、傾斜地を走行する場合であれば、車体が大きく傾斜したまま走行を継続することになり、車体の姿勢が不安定になるおそれがある。
【０００７】
さらに、この種の作業車では、上記したような路面の状況の違い以外にも、車体の姿勢が不安定になる要因がある。例えば、肥料や除草剤等の薬剤を貯留する貯留部を備える場合であれば、作業が行われるに伴って、薬剤が消費されて貯留部の重量が変化するが、このような貯留部の重量が変動すると、そのことによって、姿勢変動の仕方が異なることがある。
【０００８】
貯留部の重量変化だけでなく、例えば、車体の発進に伴って車体前部の車輪が浮き上がろうとするような力を受けたり、車体の走行停止に伴って車体前部が沈みこむような力を受けたりすることがある。さらに、車体が旋回走行するときは、旋回外方側に向けて横向きの力を受けることもある。そして、そのことによって、姿勢変動の仕方が異なることがある。
【０００９】
そこで、作業状況の違い、並びに、作業に伴う種々の要因による姿勢変動に応じて、車体の地上高を適切な高さに設定したり、路面の状況の変化にかかわらず車体の姿勢を安定化させることが可能な作業車が要望されていた。
【課題を解決するための手段】
【００１０】
本発明に係る作業車の特徴構成は、複数の走行車輪が伸縮可能な筒状の支持部材を介して車体フレームに支持され、油圧シリンダにより前記支持部材を伸縮操作して前記走行車輪の前記車体フレームに対する相対高さを所定長さ範囲内で切り換え可能な油圧操作式の車高調節機構が、複数の前記走行車輪の夫々に対して備えられ、作業の継続に伴って重量が変化する積載物を収容する積載物収容装置が車体に搭載支持され、複数の前記油圧シリンダに対して各別に作動油の供給状態を制御可能な油圧制御弁と、前記油圧制御弁の作動を制御する制御部と、前記積載物の収容量を計測する収容量計測手段と、が備えられ、前記制御部は、前記収容量計測手段の計測結果に基づいて、車体の重量バランスが安定するために必要とされる前記油圧シリンダの目標作動量を求め、前記油圧シリンダの作動量が前記目標作動量になるように前記油圧制御弁の作動を制御するように構成されている点にある。
【００１１】
本発明によれば、車高調節機構が作動することにより支持部材が伸縮すると、走行車輪の車体フレームに対する相対高さを変更調節することができる。複数の走行車輪の夫々について高さ調節することで、車体を所望の姿勢に維持しながら車体の地上高を変更することが可能である。
【００１２】
作業の継続に伴って積載物収容装置に収容される積載物の重量は変化する。このように重量が変化すると、車体の姿勢変動の仕方が異なるが、収容量計測手段によって積載物の収容量を計測して、その計測結果を制御部による油圧シリンダの作動制御に反映させる。
【００１３】
すなわち、制御部は、収容量計測手段の計測結果に基づいて、車体の重量バランスが安定するために必要とされる油圧シリンダの目標作動量を求める。例えば、積載物収容装置が車体の後部に備えられていると、収容量が大であれば車体が後重の重量バランスになるので、それを修正するように油圧シリンダの目標作動量を設定するのである。
【００１４】
車高調節機構は、油圧シリンダの作動により支持部材を伸縮させるものであり、制御部は、油圧シリンダの作動量が目標作動量になるように油圧制御弁の作動を制御する。その結果、植立している作物を跨いで走行するような場合であれば、作物の背丈が低いときは車体の地上高を低めに設定し、作物の背丈が高いときは車体の地上高を高めに設定することにより、作物の背丈に応じて作業に適した高さに維持しながら走行することができ良好な作業を行える。又、傾斜地を走行する場合には、複数の走行車輪は傾斜している地面上に接地しているが、車体は水平姿勢又は水平姿勢に近い姿勢に姿勢変更させて安定した状態で走行することが可能である。
【００１５】
しかも、上記したように積載物の収容量に基づいて目標作動量を求めるので、車体の重量バランスが安定させた状態で、油圧シリンダの作動を制御することが可能である。尚、このように収容量の情報を用いる構成は、油圧シリンダにおける油室の圧力に基づいて油圧シリンダの作動を制御する構成においては特に有効である。
【００１６】
従って、本発明によれば、作業状況の違い、並びに、作業の経過に伴う種々の要因による姿勢変動に応じて、車体の地上高を適切な高さに設定したり、路面の状況の変化にかかわらず車体の姿勢を安定化させることが可能となった。
【００１７】
本発明においては、車体の傾斜角を計測する傾斜センサと、前記油圧シリンダの伸縮操作量を計測するストロークセンサとが備えられ、前記制御部は、前記収容量計測手段の計測結果、並びに、前記傾斜センサ及び前記ストロークセンサの計測結果に基づいて、車体を目標対地高さで且つ目標姿勢にするとともに、車体の重量バランスが安定するために必要とされる前記油圧シリンダの前記目標作動量を求め、前記ストロークセンサの検出値が前記目標作動量になるように、前記油圧制御弁の作動を制御する車高姿勢制御を実行すると好適である。
【００１８】
本構成によれば、車体の実際の傾斜角を傾斜センサにて計測することで、車体の姿勢が実際にどの程度傾斜しているかについて正確に判別でき、又、ストロークセンサにて油圧シリンダの伸縮操作量を計測することで、車体の姿勢が目標姿勢とどの程度離れているかについて正確に判別できる。このような計測情報に、収容量計測手段の計測結果を加味して、現在の作業状況に応じて、目標作動量を適正な値として求めることができ、車高姿勢制御を良好に実行することができる。
【００１９】
本発明においては、複数の走行車輪が伸縮可能な筒状の支持部材を介して車体フレームに支持され、油圧シリンダにより前記支持部材を伸縮操作して前記走行車輪の前記車体フレームに対する相対高さを所定長さ範囲内で切り換え可能な油圧操作式の車高調節機構が、複数の前記走行車輪の夫々に対して備えられ、複数の前記油圧シリンダに対して各別に作動油の供給状態を制御可能な油圧制御弁と、前記油圧制御弁の作動を制御する制御部と、車体の傾斜角を計測する傾斜センサと、前記油圧シリンダの伸縮操作量を計測するストロークセンサとが備えられ、前記制御部は、前記傾斜センサ及び前記ストロークセンサの計測結果に基づいて、車体を目標対地高さで且つ車体の重量バランスが安定するために必要とされる前記油圧シリンダの目標作動量を求め、前記ストロークセンサの検出値が目標作動量になるように、前記油圧制御弁の作動を制御する車高姿勢制御を実行すると好適である。
【００２０】
本構成によれば、車高調節機構が作動することにより支持部材が伸縮すると、走行車輪の車体フレームに対する相対高さを変更調節することができる。複数の走行車輪の夫々について高さ調節することで、車体を所望の姿勢に維持しながら車体の地上高を変更することが可能である。
【００２１】
車高調節機構は、油圧シリンダの作動により支持部材を伸縮させるものであり、制御部は、油圧シリンダの作動量が目標作動量になるように油圧制御弁の作動を制御する。その結果、植立している作物を跨いで走行するような場合であれば、作物の背丈が低いときは車体の地上高を低めに設定し、作物の背丈が高いときは車体の地上高を高めに設定することにより、作物の背丈に応じて作業に適した高さに維持しながら走行することができ良好な作業を行える。又、傾斜地を走行する場合には、複数の走行車輪は傾斜している地面上に接地しているが、車体は水平姿勢又は水平姿勢に近い姿勢に姿勢変更させて安定した状態で走行することが可能である。
【００２２】
説明を加えると、車体の現在の傾斜角を傾斜センサにて計測し、ストロークセンサにて油圧シリンダの現在の伸縮操作量を計測して、それらの計測結果に基づいて、車体が目標対地高さで且つ車体の重量バランスが安定するように目標作動量を求めて、ストロークセンサにて計測される伸縮操作量が目標作動量になるように油圧制御弁の作動を制御するのである。傾斜センサにて車体の現在の姿勢について正確に判別でき、ストロークセンサにて車体の地面に対する相対姿勢について正確に判別できるので、それらに基づいて、現在の作業状況に応じて、目標作動量を適正な値として求めることができ、車高姿勢制御を良好に実行することができる。
【００２３】
ところで、作業走行中に何等かの要因で姿勢変動の仕方がそれまでとは異なる状態になるとき、例えば、車体が、急発進や急停車をしたり、直進状態から急旋回したりする等の走行状態が変化した場合、あるいは、作業装置の横幅寸法が大きく異なる場合等においては、車体の重量バランスが安定するために必要とされる油圧シリンダの目標作動量が異なる場合がある。薬剤を散布する場合、散布幅をできるだけ広くするために横方向に長い散布装置（作業装置）を用いることがあり、その長さが異なることがある。特に、走行路面が軟弱な地面であれば、上述したような場合には車体が大きく姿勢変動を起こすおそれがある。
【００２４】
そこで、油圧シリンダの目標作動量を求めるに際して、上記したような状況変化を考慮して、車体の重量バランスが安定するために必要とされる油圧シリンダの目標作動量を求めて、油圧シリンダの伸縮操作量が目標作動量になるように制御するのである。
【００２５】
従って、本発明によれば、作業状況の違い、並びに、作業に伴う種々の要因による姿勢変動に応じて、車体の地上高を適切な高さに設定したり、路面の状況の変化にかかわらず車体の姿勢を安定化させることが可能となった。
【００２６】
本発明においては、走行状態を検出する走行状態検出部を備え、前記制御部は、前記走行状態検出部の検出結果、並びに、前記傾斜センサ及び前記ストロークセンサの計測結果に基づいて、走行状態を安定させるために必要な前記油圧シリンダの前記目標作動量を求め、前記ストロークセンサの検出値が前記目標作動量になるように、前記油圧制御弁の作動を制御する車高姿勢制御を実行すると好適である。
【００２７】
本構成によれば、走行状態検出部によって車体の走行状態が検出される。それまでの走行状態と異なる走行状態としては、車体が急発進又急停車したり、旋回走行したりする等の走行状態が変化した場合等が挙げられる。そして、油圧シリンダの前記目標作動量を求めるに際して、このような走行状態の変化を考慮して、車体の重量バランスが安定するために必要とされる目標作動量を求めるのである。
【００２８】
従って、作業走行に伴う車体の実際の走行状態の変化を的確に検出して、実際の走行状態に対応して油圧シリンダの作動を制御することで、車体の姿勢を安定化させることが可能となる。
【００２９】
本発明においては、前記油圧シリンダの油室の圧力を計測する圧力センサが備えられ、前記制御部は、前記油圧シリンダの作動量が前記目標作動量になるように前記油圧制御弁の作動の制御を実行しているときに、前記圧力センサにて計測される圧力の変動に応じて前記目標作動量を補正すると好適である。
【００３０】
本構成によれば、圧力センサによって油圧シリンダの油室の圧力を計測して、計測結果に基づいて目標作動量を補正するようにした。このような圧力の情報により、例えば、走行に伴う圧力の変動等に基づいて走行車輪の路面に対する接地状態を推測することが可能となる。説明を加えると、複数の走行車輪が路面に接地した状態で走行しているときに、いずれかの走行車輪が路面に形成された凹部に入り込んだ場合には、当該走行車輪の接地圧が減少して、対応する油圧シリンダの油室の圧力が低下することになる。このとき、圧力センサの計測結果からそのことが推測できるので、例えば、当該油圧シリンダの油室の圧力が、他の走行車輪に対する油圧シリンダの圧力と同等の値になるように、当該油圧シリンダを伸長作動させることにより、全ての走行車輪が地面に対して適切な接地圧で接地した状態で走行することが可能となる。いずれかの走行車輪が路面に形成された凸部に乗り上げるときは、圧力が高くなるので、油圧シリンダを縮退させることにより、全ての走行車輪が地面に対して適切な接地圧で接地した状態で走行することができる。
【００３１】
このように油室の圧力の情報によって、全ての走行車輪が地面に対して適切な接地圧で接地した状態で走行することができ、走行車輪の浮き上がりによる空回り等の不利がなく、良好な走行状態を維持することが可能となる。
【００３２】
本発明においては、複数の前記油圧シリンダ夫々の油室にアキュムレータが接続されていると好適である。
【００３３】
本構成によれば、車体が走行する路面が、全体的には概ね平坦な面であっても小さい凹凸が存在しているような場合であれば、走行車輪が凹部に入り込んだり凸部に乗り上げたりして、車体が振動することがある。このような場合には、走行車輪が車体に対して少しだけ相対的に上昇あるいは下降しようとする。
【００３４】
そこで、本構成では、油圧シリンダの油室にアキュムレータが接続されており、アキュムレータにて作動油が吸収されたり排出されたりして、走行車輪の車体に対する相対上下動を許容することができる。その結果、小さい凹凸に起因した走行車輪の相対的な上下動を許容することで車体の振動を抑制して、車体の姿勢を目標姿勢に維持することが可能となる。
【００３５】
本発明においては、運転者が着座する運転座席と、前記運転座席の前方に配置された操作部材とを備えていると好適である。
【００３６】
本構成によれば、運転者は運転座席に着座して楽に運転操作することができる。このように運転者が着座するものであっても、車体の姿勢が安定化することで運転操作が行い易いものなる。
【図面の簡単な説明】
【００３７】
【図１】作業車の全体側面図である。
【図２】作業車の車輪支持構造を示す平面図である。
【図３】車輪支持構造を示す正面図である。
【図４】車輪支持構造の一部の斜視図である。
【図５】車輪支持構造の一部の斜視図である。
【図６】最大伸長状態の車高調節機構の横断正面図である。
【図７】最短状態の車高調節機構の横断正面図である。
【図８】ストロークセンサの構造を示す断面図である。
【図９】制御ブロック図である。
【図１０】油圧回路図である。
【図１１】制御動作のフローチャートである。
【図１２】動作説明図である。
【図１３】制御動作のフローチャートである。
【図１４】制御動作のフローチャートである。
【図１５】制御ブロック図である。
【発明を実施するための形態】
【００３８】
〔第１実施形態〕
以下、本発明の第１実施形態に係る作業車を図面に基づいて説明する。
【００３９】
〔全体構成〕
図１に本実施形態に係る作業車としての乗用管理機が示されている。この乗用管理機は、４輪走行型の走行車体１の後部に積載物収容装置としての薬剤散布装置２が備えられている。この乗用管理機は、既に作物が植え付けられている圃場において、作物の植付条を跨いで走行しながら作物に対して薬剤を散布する作業を行うものである。尚、本実施形態では、本発明を乗用管理機（乗用型作業者）に適用した場合の例について説明するが、本発明の適用対象はこれに限るものではない。
【００４０】
走行車体１の前部の左右両側に旋回操作可能な走行車輪Ｓとしての一対の前輪３が備えられ、走行車体１の後部の左右両側に旋回操作可能な走行車輪Ｓとしての一対の後輪４が備えられている。このように４輪が全て旋回可能であり、例えば、２つの前輪３だけを旋回させる２輪操舵状態と、前輪３と後輪４とを逆方向に旋回させて小さい旋回半径で走行する４輪操舵状態とに切り換え可能である。
【００４１】
前輪３及び後輪４は、作物条の間に位置する条間を走行することができるように設けられている。走行車体１の前部にエンジン５が搭載され、走行車体１の後部に運転部６が備えられている。走行車体１の下部には、エンジン５の動力を変速する図示しない変速装置を内装するミッションケース７が備えられている。ミッションケース７は、エンジン５の後下部から側面視で後輪４に対応する箇所まで前後方向に延びる状態で設けられている。エンジン５の下部側には外周部を覆う状態で前部側フレーム体８が備えられている。ミッションケース７と前部側フレーム体８とが一体的に連結されており、これらにより車体全体を支持する車体フレームＦが構成されている。運転部６には、運転者が着座する運転座席９と、運転座席９の前方に位置してステアリング操作を行うステアリングハンドル１０（操作部材）とが備えられている。運転部６には、それ以外に、薬剤散布装置２を昇降するための昇降レバー１１や変速レバー１２等も備えられている。
【００４２】
走行車体１は、エンジン５の動力が、ミッションケース７内の変速装置にて変速されたのち、左右の前輪３及び左右の後輪４に伝達される。従って、走行車体１は、４つの走行車輪Ｓが駆動される４輪駆動型に構成されている。図２に示すように、ミッションケース７の左右両側に連結された筒状の後部横向き伝動ケース１３の内部に横向き伝動軸１４が備えられ、変速後の動力が横向き伝動軸１４を介して左右両側の後輪４に伝達される。後部横向き伝動ケース１３は、ミッションケース７すなわち車体フレームＦに支持されている。
【００４３】
図２に示すように、左右の前輪３の左右中間部に、筒状の前部横向き伝動ケース１５が備えられ、ミッションケース７からの動力が前後向きの中間軸１６、横向き伝動ケース１５内に備えられた差動機構（図示せず）と横向き伝動軸１８とを介して左右の前輪３に伝達される。前部横向き伝動ケース１５は、車体フレームＦに対して中間軸１６と同一軸芯である前後軸芯Ｘ周りでローリング（回動）自在に支持されている。
【００４４】
図３に示すように、前部横向き伝動ケース１５の左右方向両側端部には支持部材としての縦向き伝動ケース１９が接続されている。図６に示すように、縦向き伝動ケース１９内には縦向き伝動軸２０が備えられている。前部横向き伝動ケース１５に備えられた横向き伝動軸１８の軸端部と縦向き伝動軸２０の上端部とが上側のベベルギア機構２１を介して連動連結されている。縦向き伝動軸２０の下端部と前輪３の回転軸３ａとが下側のベベルギア機構２２を介して連動連結されている。走行車輪Ｓは車体フレームＦに対して縦向き伝動軸２０の回転軸芯Ｙ周りで向き変更可能に支持されている。
【００４５】
〔薬剤散布装置〕
薬剤散布装置２は、上部に積載物としての薬剤を貯留する薬剤タンク２Ａが備えられ、その下方側に薬剤を下方に噴出する噴出装置２Ｂが備えられている。この薬剤散布装置２は、リンク機構２Ｃを介して走行機体に支持されている。薬剤散布装置２には、薬剤タンク２Ａの重量を計測する収容量計測手段としての重量センサ９０が備えられている。薬剤タンク２Ａの重量は、薬剤の消費に伴って減少するので、この変化状態を重量センサ９０にて計測することができる。
【００４６】
〔車輪支持構造〕
縦向き伝動ケース１９と縦向き伝動軸２０を有する車輪の支持構造は、４個の走行車輪Ｓの夫々について同じ構成であるから、そのうちの１つである一方の前輪３の支持構造について、以下に説明する。
【００４７】
図６に示すように、前部横向き伝動ケース１５の端部は、上側のベベルギア機構２１を覆う状態で正面視で湾曲状に折れ曲がる形状となっており、下向きに開放する開口が形成されている。縦向き伝動ケース１９の上端部に一体的に連結された上部接続体２３が、開口を覆うように前部横向き伝動ケース１５の端部に、縦向き伝動軸２０の回転軸芯Ｙ周りで回動可能に嵌合接続されている。図７に示すように、縦向き伝動ケース１９の下端部には、下側のベベルギア機構２２を覆うとともに、前輪３の回転軸３ａを支持するための車輪支持ケース２４が連結されている。
【００４８】
図５に示すように、上部接続体２３が嵌合接続されている状態で抜け外れるのを防止する抜け止め具２５が備えられている。図５に示すように、抜け止め具２５は、帯板状の部材からなり、一端部が上部接続体２３の外周部にボルト連結され、他端部が前部横向き伝動ケース１５の端部に形成された段差部２６に係合して抜け外れを防止する。
【００４９】
図３，４に示すように、前部横向き伝動ケース１５の前方に位置して前部横向き伝動ケース１５に対して平行な姿勢で、ステアリング操作用の複動型の油圧シリンダ２７（以下、ステアリングシリンダと称する）が備えられている。ステアリングシリンダ２７のシリンダチューブ２８がブラケット２９を介して前部横向き伝動ケース１５に連結されている。ステアリングシリンダ２７のピストンロッド３０がボールジョイント３１を介してタイロッド３２の一端部に連動連結され、タイロッド３２の他端部がボールジョイント３３を介して上部接続体２３に設けられたナックルアーム３４に連動連結されている。
【００５０】
ステアリングシリンダ２７が作動することにより、ナックルアーム３４と上部接続体２３を介して、縦向き伝動ケース１９、車輪支持ケース２４及び前輪３の夫々が一体的に縦向き伝動軸２０の回転軸芯Ｙ周りで回動して、前輪３が向き変更操作される。ステアリングシリンダ２７は、ステアリングハンドル１０の操作に応じて切り換え操作されて、直進走行用の中立位置から左方向あるいは右方向に油圧によってスライド操作される。前部横向き伝動ケース１５の端部の上部には、上部接続体２３の回動角すなわち前輪３の回動角を検出する回動角検出装置３５が備えられている。
【００５１】
ステアリングシリンダ２７の作動によって、上部接続体２３すなわち縦向き伝動ケース１９及び前輪３が所定作動範囲内で回動することができる。上部接続体２３の回動操作角が回動角検出装置３５によって検出され、後述する制御装置８０（図９参照）にフィードバックされて、ステアリングハンドル１０の操作に対応する旋回角になるようにステアリングシリンダ２７が制御される。尚、図９では、操向用の制御系については記載を省略している。
【００５２】
〔車高調節機構〕
縦向き伝動軸２０及び縦向き伝動ケース１９の夫々が、縦向き伝動軸２０の軸芯方向に摺動しながら伸縮可能な内外二重構造に構成されている。図６，７に示すように、縦向き伝動ケース１９は、外筒部材１９Ａと内筒部材１９Ｂとを有し、それらが摺動しながら伸縮可能となるように構成されている。縦向き伝動ケース１９は、外筒部材１９Ａが下側に位置し、内筒部材１９Ｂが上側に位置する状態で備えられ、外筒部材１９Ａの下端部が車輪支持ケース２４に一体的に連結され、内筒部材１９Ｂの上端部が上部接続体２３に一体的に連結されている。
【００５３】
縦向き伝動軸２０は、筒軸２０Ａと、筒軸２０Ａの内部にスプライン嵌合して一体回転する状態を維持しながら軸芯方向にスライド可能な内軸２０Ｂとを有している。内軸２０Ｂの上端部が上側のベベルギア機構２１に一体回転可能に連結されている。筒軸２０Ａの下端部が下側のベベルギア機構２２に一体回転可能に連結されている。
【００５４】
縦向き伝動軸２０及び縦向き伝動ケース１９を、縦向き伝動軸２０の回転軸芯Ｙ方向に伸縮操作して、前輪３の車体フレームＦに対する相対高さを複数段階に切り換え可能な油圧操作式の車高調節機構４０が備えられている。図３に示すように、車高調節機構４０に、縦向き伝動軸２０の軸芯方向に沿って延びる油圧シリンダ４１が備えられている。
【００５５】
油圧シリンダ４１は、上部接続体２３と車輪支持ケース２４の下部に設けられた支持ブラケット４２とに亘って設けられている。油圧シリンダ４１のシリンダチューブ４１Ａの上端部が上部接続体２３に一体的に連結され、油圧シリンダ４１のピストンロッド４１Ｂの下端部が車輪支持ケース２４に連結されている。従って、上部接続体２３と車輪支持ケース２４とが、油圧シリンダ４１を介して一体的に連結されており、ステアリングシリンダ２７が作動すると、それらの部材が一体的に回動して、前輪３が旋回操作される。
【００５６】
油圧シリンダ４１を伸縮操作することにより、図６に示すように最も伸長した状態と、図７に示すように最も縮退した状態とにわたり車高を長い範囲（例えば、数十ｃｍ程度）で変更調節することができる。縦向き伝動ケース１９が最も伸長した状態において、外筒部材１９Ａと内筒部材１９Ｂとが重なり合う重合部５０の外周側がベース部材４５により支持されている。このように、縦向き伝動ケース１９が伸長することにより重合部５０の上下幅が狭い場合であっても、ベース部材４５によって外周側を支持することにより、支持強度の低下を防止している。
【００５７】
上部接続体２３が回動可能に接続される横向き伝動ケース１５の端部に、縦向き伝動ケース１９の内部を回動可能に支持する支持ボス部５１が、縦向き伝動ケース１９の径方向内方側に位置して、回転軸芯Ｙ方向に沿って下方に延びる状態で設けられている。すなわち、横向き伝動ケース１５の端部において、ベアリング５２を介して上部接続体２３の内周側を回動可能に支持する支持ボス部５１が、縦向き伝動軸２０の軸芯方向に沿って一体的に下方に延びる状態で延長形成されている。支持ボス部５１は、ベアリング５３を介して内周側に位置する縦向き伝動軸２０を回動可能に支持している。
【００５８】
支持ボス部５１は、内筒部材１９Ｂの上下方向の中間部よりも下方側に至るまで下方に長く延びる状態で設けられている。このように上下方向に長い支持ボス部５１により内周側から縦向き伝動ケース１９を支持することにより、縦向き伝動ケース１９の支持強度の低下を防止している。
【００５９】
〔ストロークセンサ〕
油圧シリンダ４１は、ストロークセンサ内蔵型であり、図８に示すように、シリンダチューブ内に長手方向に沿って延びる状態で操作量検出手段としてのストロークセンサ６０が備えられている。このストロークセンサ６０は、上部接続体２３と車輪支持ケース２４の下部に設けられた支持ブラケット４２とに亘って設けられている。
【００６０】
油圧シリンダ４１の伸縮操作に伴って相対移動する第１部材としての外筒６２と、外筒６２に摺動可能に内嵌される第２部材としての内筒６３とを備えるとともに、外筒６２及び内筒６３の外方に臨む端部が閉塞されて、内部に閉塞空間が形成されたシリンダ構造の筒状摺動部材６４が備えられている。筒状摺動部材６４は、外筒６２の上端部が上部接続体２３に連結され、内筒６３の下端部が支持ブラケット４２に連結されている。
【００６１】
筒状摺動部材６４の内部にストロークセンサ６０が収納されている。ストロークセンサ６０は、外筒６２に一体的に移動する状態で備えられ且つ外周部に螺旋羽根６５が一体的に形成されているスクリュー軸６６と、内筒６３に備えられ且つ内筒６３と外筒６２との相対移動に伴って螺旋羽根６５に摺接作用してスクリュー軸６６を回転するように案内する摺接部材６７と、スクリュー軸６６の回転数を検知可能な回転検出センサとしての電磁式のピックアップセンサ６８とを有している。
【００６２】
スクリュー軸６６は、外筒６２の上側端部に設けられた支持部６９により、軸芯方向に沿って一体的に移動する状態で、且つ、周方向に回動可能に支持されている。スクリュー軸６６は内筒６３の内部に沿って延設されている。内筒６３の上側端部には、スクリュー軸６６に外挿され且つ螺旋羽根６５に摺接作用する摺接部材６７が備えられている。スクリュー軸６６において、摺接部材６７よりも上側に延びる箇所に検出用ギア７０が備えられている。外筒６２には、検出用ギア７０の外周部に対応する箇所に周知構成の電磁式のピックアップセンサ６８が備えられている。ピックアップセンサ６８は、例えば、農業機械やその他の装置に幅広く用いられており、回転数を的確に検出することができる。
【００６３】
油圧シリンダ４１の伸縮操作に伴って外筒６２と内筒６３とが軸芯方向に相対移動すると、スクリュー軸６６の螺旋羽根６５が摺接部材６７の摺接作用を受けて、移動量に相当する回転量だけスクリュー軸６６が回転する。ピックアップセンサ６８は、スクリュー軸６６の回転に伴う検出用ギア７０の歯が通過するときに発生する電流の波形に基づいてスクリュー軸６６の回転数を検出することができる。そして、回転を開始してから停止するまでのスクリュー軸６６の回転数をカウントすることにより、スクリュー軸６６の軸芯方向の移動量（油圧シリンダ４１の伸縮操作量）を求めることができる。
【００６４】
〔油圧回路構成〕
車高調節機構４０は、４個の走行車輪Ｓの夫々に対応して４組備えられる。次に、４組の車高調節機構４０に備えられる４個の油圧シリンダ４１の作動を制御するための油圧回路構成について説明する。
【００６５】
図１０に各油圧シリンダ４１に対する油圧回路が示されている。エンジン５により駆動される油圧ポンプ７２が備えられ、油圧ポンプ７２からの作動油が分岐供給される４つの分岐路に各油圧シリンダ４１に対して各別に作動油の供給状態を制御可能な油圧制御弁７３が夫々備えられている。各油圧シリンダ４１は複動型シリンダにて構成されている。
【００６６】
油圧制御弁７３は、スプールを電磁操作力にてスライド操作させて、油圧シリンダ４１を伸長操作する上昇位置、油圧シリンダ４１を縮退操作する下降位置、及び、作動を停止する中立位置に切り換え可能である。油圧制御弁７３は、電磁操作力を変更することにより、伸長操作及び縮退操作の夫々において、油圧シリンダ４１に供給する作動油流量を変更調整可能な電磁比例式の流量制御弁にて構成されている。
【００６７】
油圧制御弁７３が上昇位置に切り換えられると、油圧制御弁７３からの作動油がボトム側油室４１ａに供給され、ロッド側油室４１ｂから作動油がドレンタンク７４に排出されて、油圧シリンダ４１が伸長操作される。油圧制御弁７３が下降位置に切り換えられると、油圧制御弁７３からの作動油がロッド側油室４１ｂに供給され、ボトム側油室４１ａから作動油がドレンタンク７４に排出されて、油圧シリンダ４１が縮退操作される。
【００６８】
各油圧シリンダ４１におけるボトム側油室４１ａ及びロッド側油室４１ｂの夫々に対してアキュムレータ７５が備えられている。具体的には、アキュムレータ７５は、油圧制御弁７３から油圧シリンダ４１におけるボトム側油室４１ａに作動油が供給されるボトム側の作動油供給路７６、及び、油圧制御弁７３から油圧シリンダ４１におけるロッド側油室４１ｂに作動油が供給されるロッド側の作動油供給路７７の夫々に接続されている。従って、アキュムレータ７５は、１個の油圧シリンダ４１に対して２個ずつ合計８個備えられている。
【００６９】
アキュムレータ７５は、油圧シリンダ４１の油室に急な圧力上昇があると、余剰の作動油を吸入して蓄積するようにしたり、油室に急な圧力低下があると、蓄積していた作動油を排出させる等の動作により、例えば、走行車輪Ｓが地面の細かな凹凸によって上下振動する等の外的負荷に起因する急激な圧力変動を吸収することが可能である。その結果、アキュムレータ７５による作動油の蓄積や排出により、地面の細かな凹凸に沿う油圧シリンダ４１の相対的なストローク変動を許容して、車体の振動を阻止することができる。
【００７０】
ボトム側の作動油供給路７６、及び、ロッド側の作動油供給路７７の夫々に、内部圧力を計測可能な圧力センサ７８が備えられている。これらの作動油供給路の内部圧力は油圧シリンダ４１の油室の圧力と同じである。従って、圧力センサ７８は、油圧シリンダ４１の油室（ボトム側油室４１ａあるいはロッド側油室４１ｂ）の圧力を計測可能である。圧力センサ７８は、アキュムレータ７５と同様に、１個の油圧シリンダ４１に対して２個ずつ合計８個備えられている。
【００７１】
ロッド側の作動油供給路７７にはリリーフ弁７９が接続されている。リリーフ弁７９は、ロッド側の作動油供給路７７（ロッド側油室４１ｂ）の内部圧力が許容値を越えると、作動油をドレンタンク７４に流すことにより、許容値以上の圧力になることを回避するようにしている。ロッド側油室４１ｂに作動油が供給されるのは、油圧シリンダ４１が縮退する（車体が下降する）ときであり、車体が下降するように油圧シリンダ４１を作動させているときに、車体重量による付勢力が加算されて油室の圧力が過大になるおそれがある。そのため、リリーフ弁７９にて作動油を排出させることにより、圧力が過大になるのを回避することができる。
【００７２】
〔制御構成〕
次に、油圧シリンダ４１の作動を制御するための制御構成について説明する。
図９に示すように、上述したような、薬剤散布装置２に備えられた重量センサ９０、４個の油圧制御弁７３、４個のストロークセンサ６０、及び、８個の圧力センサ７８の他に、各油圧制御弁７３の作動を制御する制御部としての制御装置８０と、車体の姿勢変化状態を計測可能な慣性計測装置（ＩＭＵ：Ｉｎｅｒｔｉａｌ  Ｍｅａｓｕｒｅｍｅｎｔ  Ｕｎｉｔ）８１とが備えられている。ストロークセンサ６０、圧力センサ７８、慣性計測装置８１の検出情報が制御装置８０に入力されている。制御装置８０は、マイクロコンピュータを備えて構成され、種々の制御動作を実行可能である。
【００７３】
慣性計測装置８１は、運動体の挙動を計測するために一般的に用いられるものであり、図示はしていないが、３軸のジャイロと３方向の加速度センサを有し、３次元の角速度と加速度を求めることができる。そして、この検出情報を積分する等の演算処理により、車体の変動状態、具体的には、車体の水平姿勢からの左右傾斜角や前後傾斜角等を求めることができる。従って、この慣性計測装置８１は車体の傾斜状態を計測する傾斜センサとして機能する。
【００７４】
制御装置８０は、車体の姿勢変動に対して油圧シリンダ４１による車高調整によって車体が目標状態になるように各油圧制御弁７３の作動を制御する。すなわち、制御装置８０は、重量センサ９０、慣性計測装置８１及び各ストロークセンサ６０の検出結果に基づいて、車体を目標対地高さで且つ目標姿勢にするするとともに、車体の重量バランスが安定するために必要とされる各油圧シリンダ４１の目標圧力を求め、圧力センサ７８の検出値が目標圧力となるように、油圧制御弁７３の作動を制御する圧力調節制御を実行する。
【００７５】
制御装置８０は、図１１に示すように、慣性計測装置８１の検出結果に基づいて、車体の水平姿勢からの左右傾斜角及び前後傾斜角を求め、その検出傾斜角の検出情報と、４個のストロークセンサ６０の検出情報（検出ストローク量）と、重量センサ９０の検出情報とに基づいて、車両重心位置Ｇを目標位置（目標地上高）に制御するするとともに、車体の重量バランスが安定するために必要とされる油圧シリンダ４１の力を操作圧に対応する値（第１操作圧）として求める（ステップ♯１）。次に、車両重心位置Ｇが目標位置にあるときの車体の姿勢（前後方向及び左右方向）を水平姿勢にするするとともに、車体の重量バランスが安定するために必要とされる油圧シリンダ４１の力（第２操作圧）を演算にて求める（ステップ♯２）。
【００７６】
この第１操作圧や第２操作圧は、油圧シリンダ４１を作動すべき必要ストローク量を作動させるのに必要な力（推力）に相当するものである。そして、第１操作圧と第２操作圧とを加算した値を各走行車輪Ｓの路面との接触力に変換して目標操作圧として求め（ステップ♯３）、対応する圧力センサ７８にて検出される圧力が目標操作圧に対応した圧力になるように、各油圧制御弁７３の作動を制御する（ステップ♯４）。
【００７７】
すなわち、単に、検出傾斜角の検出情報と、検出ストローク量とに基づいて目標操作圧を求めるのではなく、薬剤の重量の計測情報を加味して、薬剤の重量変化に起因して姿勢変動の仕方が異なることを考慮して、適切な目標操作圧を求めるのである。例えば、重量が大きいほど、後重であるから、車体後部側の油圧シリンダの方が車体前部側の油圧シリンダよりも目標操作圧が大きめに設定されることになる。
【００７８】
このような目標操作圧を求めて油圧制御弁７３を制御する処理は、車体の姿勢の変動に伴って設定単位時間毎に繰り返し行われるのであり、その結果、車体を目標対地高さで且つ目標姿勢に維持することが可能となる。
【００７９】
上記構成によれば、例えば、車体が走行する路面が傾斜地である場合、あるいは、畦を乗り越えて作業地に進入する場合、作業地から畦を乗り越えて畦道に出ていくような場合等において、上記したような圧力調整制御を実行することにより、車体を目標対地高さで且つ目標姿勢に維持することが可能である。
【００８０】
そして、車体が走行する路面が大まかには平坦な面であっても小さな凹凸が存在しているような場合においては、アキュムレータ７５の作用によって、走行車輪Ｓの相対的な上下動を許容することで車体の振動を抑制して、車体の姿勢を目標姿勢に維持することが可能となる。
【００８１】
又、制御装置８０が、圧力センサ７８の検出値に基づいて、油圧制御弁７３の作動を制御する圧力調節制御を実行するものであるから、アキュムレータ７５の作用による走行車輪Ｓの相対的な上下動があっても、そのことによって、制御動作中にハンチングが発生するおそれが少なく円滑な姿勢制御を行える。この実施形態では、ストロークセンサ６０、圧力センサ７８、慣性計測装置８１が、車体の目標対地高さ並びに目標姿勢からの変動状態を計測する変動状態計測手段に対応する。
【００８２】
上記構成の乗用形作業車では、車体の地上高を広い範囲で上下移動させることが可能である。例えば、図１２（ａ）、（ｂ）に示すように、４本の油圧シリンダ４１を夫々短くした低姿勢状態と、４本の油圧シリンダ４１を夫々長くした高姿勢状態とに切り換え可能である。従って、作物を跨いで作業する場合、作物が背低のときは、低姿勢状態に切り換えて、低い位置で薬剤散布できる。作物が成長して背高のときは、高姿勢状態に切り換えることで、作物を傷めることがない。又、図１２（ｃ）に示すように、路面が左右方向に大きく傾斜している状態で、その傾斜面に沿って作業走行する場合には、傾斜下方側の油圧シリンダ４１を長く伸長させ、傾斜上方側の油圧シリンダ４１を短くすることで、車体を水平姿勢あるいは水平姿勢に近づいた姿勢で走行することができる。
【００８３】
〔第２実施形態〕
次に、本発明に係る作業車の第２実施形態を図面に基づいて説明する。
この実施形態では、制御装置８０の構成が第１実施形態と異なるが、他の構成は第１実施形態と同じである。以下、第１実施形態と異なる点についてのみ説明し、同じ構成については説明を省略する。
【００８４】
この実施形態では、制御装置８０は、慣性計測装置８１（傾斜センサ）及びストロークセンサ６０の検出結果に基づいて、車体を目標対地高さで且つ目標姿勢にするとともに、車体の重量バランスが安定するために必要とされる油圧シリンダ４１の目標作動量を求め、ストロークセンサ６０の検出値が目標作動量になるように、油圧制御弁７３の作動を制御する車高姿勢制御を実行し、且つ、車高姿勢制御を実行しているときに、圧力センサ７８にて計測される圧力の変動に応じて目標作動量を補正する補正処理を実行する。
【００８５】
制御装置８０は、図１３に示すように、慣性計測装置８１の検出結果に基づいて、車体の水平姿勢からの左右傾斜角及び前後傾斜角を求め、その検出傾斜角の検出情報と、４個のストロークセンサ６０の検出結果（検出ストローク量）との情報に基づいて、路面傾斜具合を求める（ステップ♯１１）。次に、車体を水平姿勢にし、且つ、車両重心位置Ｇを目標高さにするとともに、車体の重量バランスが安定するために必要とされる目標ストローク量を求め（ステップ♯１２）、油圧シリンダ４１の実ストローク量が目標ストローク量になるように油圧制御弁７３の作動を制御する（ステップ♯１３）。この制御が車高姿勢制御に対応する。
【００８６】
すなわち、単に、検出傾斜角の検出情報と、検出ストローク量とに基づいて目標ストローク量を求めるのではなく、薬剤の重量の計測情報を加味して、薬剤の重量変化に起因して姿勢変動の仕方が異なることを考慮して、適切な目標ストローク量を求めるのである。例えば、重量が大きいほど、後重であるから、車体後部側の油圧シリンダの方が車体前部側の油圧シリンダよりも目標ストローク量が大きめに設定されることになる。
【００８７】
車高姿勢制御は、具体的には、実ストローク量と目標ストローク量との偏差に応じて、偏差が大きいほど作動速度が大になるように、油圧シリンダ４１に対する作動油流量に設定して、油圧制御弁７３の作動を制御する。又、実際の作動にあたっては、目標ストローク量に対して所定範囲の不感帯が設定されている。これにより、操作すべき伸縮量について素早く操作された場合であっても、オーバーシュート等が発生してハンチング動作が生じないようにしている。尚、偏差が小さくなると操作すべき伸縮量は小さくなるので、目標ストローク量に次第に収束していく。
【００８８】
そして、車高姿勢制御を実行しているときに、圧力センサ７８の検出結果により、いずれかの油圧シリンダ４１に加わる外力を求める（ステップ♯１４）。走行路面に大きめの凸部や凹部が存在しており、いずれかの走行車輪が凸部に乗り上げると、接地圧が増大して油圧シリンダ４１の油室の圧力が、他の油圧シリンダ４１よりも高くなる。凹部に入り込むと、それとは逆に、接地圧が減少して油圧シリンダ４１の油室の圧力が低くなる。
【００８９】
そこで、このような外力を加味して、圧力が変化した油圧シリンダ４１に対する目標ストローク量を補正する（ステップ♯１５）。この処理が補正処理に対応する。例えば、圧力が高まると、目標ストローク量を短めに補正し、圧力が低下すると、目標ストローク量を長めに補正する。そして、このように補正した目標ストローク量になるように、油圧シリンダ４１を作動させるべく油圧制御弁７３の作動を制御する（ステップ♯１６）。
【００９０】
このような制御により、路面の凹凸にかかわらず、４個の走行車輪Ｓが地面に沿わせて接地する状態で走行させることができ、スリップしたり、他の走行車輪Ｓが地面から浮き上がって空回りする等の不利を回避できる。
【００９１】
〔第３実施形態〕
次に、本発明に係る作業車の第３実施形態を図面に基づいて説明する。
この実施形態では、制御装置８０の構成が第１実施形態と異なるが、他の構成は第１実施形態と同じである。以下、第１実施形態と異なる点についてのみ説明し、同じ構成については説明を省略する。
【００９２】
この実施形態では、制御装置８０は、図１４に示すように、慣性計測装置８１の検出結果に基づいて、車体の水平姿勢からの左右傾斜角及び前後傾斜角を求め、その検出傾斜角の検出情報と、４個のストロークセンサ６０の検出結果（検出ストローク量）との情報に基づいて、路面傾斜具合を求める（ステップ♯２１）。次に、車体を水平姿勢にし、且つ、車両重心位置Ｇを目標高さにするするとともに、車体の重量バランスが安定するために必要とされる目標ストローク量を求め（ステップ♯２２）、油圧シリンダ４１の実ストローク量が目標ストローク量になるように油圧制御弁７３の作動を制御する（ステップ♯２３）。この制御が車高姿勢制御に対応しており、第２実施形態で説明したのと同様な制御が行われる。
【００９３】
すなわち、単に、検出傾斜角の検出情報と、検出ストローク量とに基づいて目標ストローク量を求めるのではなく、薬剤の重量の計測情報を加味して、薬剤の重量変化に起因して姿勢変動の仕方が異なることを考慮して、適切な目標ストローク量を求めるのである。例えば、重量が大きいほど、後重であるから、車体後部側の油圧シリンダ４１の方が車体前部側の油圧シリンダ４１よりも目標ストローク量が大きめに設定されることになる。
【００９４】
この実施形態では、車体の傾斜情報とストローク量の情報のみに基づいて、車高姿勢制御を実行するのであり、この実施形態では、圧力センサ７８が不要であり、制御構成が簡素になり、低コストが図れる。
【００９５】
〔第４実施形態〕
次に、本発明に係る作業車の第４実施形態を図面に基づいて説明する。
この実施形態では、図１５に示すように、重量センサ９０に代えて、車体の走行状態を検出する走行状態検出部９１を備える点、及び、制御装置８０の構成が上記各実施形態と異なるが、他の構成は同じであるから、異なる点についてのみ説明し、同じ構成については説明を省略する。
【００９６】
走行状態検出部９１は、車体の走行状態が検出するものであり、具体的には、車体が急発進しているか否かを検出したり、車体が急停車しているか否かを検出したり、車体が旋回走行しているか否かを検出する、あるいは、それらのちのいずれか１つ又は２つ以上を検出する。
【００９７】
図示はしていないが、制御装置８０は、基本的には、第１実施形態の圧力調節制御、第２実施形態の車高姿勢制御と補正処理、あるいは、第３実施形態の車高姿勢制御のうちのいずれかを実行する。そして、圧力調節制御を実行するにあたり、重量センサ９０の検出情報に代えて、走行状態検出部９１の検出情報を用いて、走行状態を安定させるために必要な目標操作圧を求める。
【００９８】
すなわち、単に、検出傾斜角の検出情報と、検出ストローク量とに基づいて目標操作圧を求めるのではなく、薬剤の重量の計測情報を加味して、薬剤の重量変化に起因して姿勢変動の仕方が異なることを考慮して、適切な目標操作圧を求めるのである。
【００９９】
又、第２実施形態及び第３実施形態の車高姿勢制御を実行するにあたり、重量センサ９０の検出情報に代えて、走行状態検出部９１の検出情報を用いて、走行状態を安定させるために必要な目標作動量を求める。
【０１００】
すなわち、単に、検出傾斜角の検出情報と、検出ストローク量とに基づいて目標ストローク量を求めるのではなく、薬剤の重量の計測情報を加味して、薬剤の重量変化に起因して姿勢変動の仕方が異なることを考慮して、適切な目標ストローク量を求めるのである。
【０１０１】
〔別実施形態〕
（１）上記実施形態では、重量センサ９０、あるいは、走行状態検出部９１を備えるようにしたが、この構成に代えて、例えば、作業幅が異なる作業装置に付け替える構成であれば、作業装置の種類を識別する識別装置を備えて、その識別装置の検出結果に基づいて、車体の重量バランスが安定するために必要とされる目標作動量や目標操作圧を求める構成としてもよい。
【０１０２】
（２）上記実施形態では、ストロークセンサ６０が、油圧シリンダ４１に内装される構成としたが、この構成に代えて、油圧シリンダ４１の外部に別途備えられる構成としてもよい。
【０１０３】
（３）上記実施形態では、圧力センサ７８が、各油圧シリンダ４１におけるボトム側油室４１ａ及びロッド側油室４１ｂの夫々に対して備えられる構成としたが、この構成に代えて、ボトム側油室４１ａ及びロッド側油室４１ｂのいずれか一方に備えられる構成としてもよい。
【０１０４】
（４）上記実施形態では、各油圧シリンダ４１におけるボトム側油室４１ａ及びロッド側油室４１ｂの夫々に対してアキュムレータ７５が備えられる構成としたが、この構成に代えて、ボトム側油室４１ａ及びロッド側油室４１ｂのいずれか一方に備える構成としてもよく、このようなアキュムレータ７５を備えない構成としてもよい。
【０１０５】
（５）上記実施形態では、収容量計測手段として、積載物としての薬剤の収容量として重量を計測する重量センサ９０を備える構成としたが、この構成に代えて、薬剤の容積を求めるセンサでもよい。又、積載物としては、薬剤に限らず、燃料やあるいは圃場に植え付ける作物、あるいは、収穫する作物等であってもよい。
【０１０６】
（６）上記実施形態では、傾斜センサとして慣性計測装置（ＩＭＵ）を用いるようにしたが、この構成に代えて、重錘式の傾斜センサや液面検知式の傾斜センサ等の各種の形式の傾斜センサを用いることができる。
【０１０７】
（７）上記実施形態では、作業装置として走行車体１の後部に薬剤散布装置２が備えられる構成としたが、作業装置としては施肥装置や他の種類の作業装置を備える構成としてもよい。又、作業装置が走行車体１において前輪３と後輪４との前後中間位置に位置する状態で備えられる構成としてもよい。この構成では、例えば、大型の薬剤タンクを備えて長時間作業を継続できるようにするとよい。
【産業上の利用可能性】
【０１０８】
本発明は、複数の走行車輪を備えた作業車に適用できる。
【符号の説明】
【０１０９】
１９          支持部材
４０          車高調節機構
４１          油圧シリンダ
６０          ストロークセンサ
７３          油圧制御弁
７５          アキュムレータ
７８          圧力センサ
８０          制御部
８１          慣性計測装置（傾斜センサ）
９１          走行状態検出部
Ｆ            車体フレーム
Ｓ            走行車輪
【図１】
2020104724.tif 000003
【図２】
2020104724.tif 000004
【図３】
2020104724.tif 000005
【図４】
2020104724.tif 000006
【図５】
2020104724.tif 000007
【図６】
2020104724.tif 000008
【図７】
2020104724.tif 000009
【図８】
2020104724.tif 000010
【図９】
2020104724.tif 000011
【図１０】
2020104724.tif 000012
【図１１】
2020104724.tif 000013
【図１２】
2020104724.tif 000014
【図１３】
2020104724.tif 000015
【図１４】
2020104724.tif 000016
【図１５】
2020104724.tif 000017